(57)【要約】本発明は植物栄養剤容器用キャップに関するもので、植物栄養剤容器の口の先端にはめるキャップにおいて、上記キャップを、容器の口の先端に挿入される本体と、上記本体の上部につながれた首と、上記首の上部に設けられた頭と、首の下部に設けられて本体内部の下方へ延長された管と、上記管の内部から上記首の内部まで連続的に形成された吐出孔を含めて構成し、上記首の下部には上記吐出孔の方向へ延長された棒状突起を形成したことを特徴とする。
2016501787.tif 000002
【特許請求の範囲】
【請求項１】
植物栄養剤容器の口の先端にはめるキャップにおいて、
上記キャップ（２０）は、容器の口（３１）先端に挿入する本体（２３）と、上記本体の上部につながれた首（２４）と、上記首（２４）の上部に設けられた頭（２２）と、首（２４）の下部に設けられ本体（２３）内部の下方へ延長された管（２６）と、上記管（２６）の内部から上記首（２４）の内部まで連続的に形成された吐出孔（２５）を含めて構成し、上記首（２４）の下部には上記吐出孔（２５）方向へ延長された棒状突起（２７）を形成したことを特徴とする植物栄養剤容器用キャップ。
【発明の詳細な説明】
【技術分野】
【０００１】
本発明は植物栄養剤容器用キャップに関するもので、特に尖った口を鉢などにさして植物に栄養を与える植物栄養剤容器用キャップに関するものである。
【背景技術】
【０００２】
植物栄養剤（或いは治療剤）は、液状でできており、合成樹脂材の容器に入れた後、植物に養分が足りなくなり枯れてしまった時、開花前後、日光不足の時、又は病虫害の予防のために必要な時に、植物の周囲の土に注入する。植物栄養剤は鉢などに逆さにさして使えるように、口が長く細いキャップがある容器に入っている。その容器の一例は図１および図２に図示した通りである。図１は、従来の植物栄養剤用容器（１）をキャップ（４）と共に示した断面図であり、図２は従来の植物栄養剤の使用状態図である。キャップ（４）は弾性が大きい軟質の合成樹脂（例：低密度ＰＥ）で形成され、キャップ（４）の本体（９）の内径を口（３）先端の外径より少し小さくするか同じくし、狭くて長いビンの口（３）の入り口の外周面にキャップ（４）の本体（９）の内周面が密着するように押してはめる。キャップ（４）の本体（９）の上部には首（６）と頭（５）が形成されている。首（６）の下部には本体（９）内部の下の方にのびた管（８）が形成され、この管（８）と首（６）の内部には吐出孔（８）が形成され植物栄養剤が流出するように構成されている。
【０００３】
このような構造の植物栄養剤は、使用の際、使用者が片手で容器（１）を握り、もう一方の手で頭（５）を掴んでから頭（５）を回して首（６）を捻りながら首（６）を切り離す。ところが、図１に図示されているように、キャップ（４）の材質が軟質であるため、この過程で首（６）の樹脂がのびてしまい吐出孔（８）を塞いでしまうという問題点がある。首（６）を捻る過程でのびた樹脂のバリ（１０）がキャップの本体（９）から離れず、吐出孔（８）の上部を塞ぐのである。このように、吐出孔（８）が塞がれた状態では図２のように鉢などに逆さにさして置いても植物栄養剤がうまく排出されない。
【発明の概要】
【発明が解決しようとする課題】
【０００４】
本発明は、上記および従来の技術の問題点を解決するために行われたもので、本発明が解決しようとする課題は、首を捻って頭を除去した後でも吐出孔が塞がらない植物栄養剤用容器を提供することにある。
【課題を解決するための手段】
【０００５】
上述した本発明の課題は、植物栄養剤容器の口の先端にはめるキャップにおいて、上記キャップを、容器の口の先端に挿入する本体と、上記本体の上部に繋がっている首と、上記首の上部に設けられた頭と、首の下部に設けられた本体の内部の下方にのびた管と、上記管の内部から上記首の内部まで連続して形成する吐出孔を含めて構成するが、上記首の下部には上記吐出孔の方向へのびた棒状突起を形成させることで解決する。
【発明の効果】
【０００６】
上述した構造を持つ本発明によると、キャップの首を捻る時にのびた樹脂が吐出孔を塞ぐのを、首の下部から延長された棒状突起が防ぐため、キャップの吐出孔の閉塞がなくなり、植物栄養剤使用の際、栄養剤の排出が円滑になる効果がある。
【図面の簡単な説明】
【０００７】
【図１】図１は、従来の植物栄養剤容器をキャップと一緒に図示した断面図である。
【図２】図２は、従来の植物栄養剤の使用状態図である。
【図３】図３は、本発明によるキャップが設けられた植物栄養剤容器の斜示図である。
【図４】図４は、本発明による植物栄養剤容器用のキャップの構成図である。
【図５】図５は、本発明によるキャップを設けた植物栄養剤容器の使用状態図である。
【発明を実施するための形態】
【０００８】
以下、明細書に添付された図面を参照して、本発明の具体的な実施例をより詳しく説明する。
【０００９】
図３および図４を参照すれば分かるように、本発明によるキャップ（２０）は、使用者が指で掴んで捻る頭（２２）と、上記頭（２２）をキャップの本体（２３）につなぎながら、内部には吐出孔（２５）が形成された細い首（２４）を具備する。上記首（２４）は外径が細いだけでなく、その内部には吐出孔（２５）が形成されていて、頭（２２）を親指と人差し指で掴んで捻ると容易に切断される。図３に図示したように、上記キャップ（２０）の頭（２２）は四角柱の形状に形成される。しかし必ず四角柱の形状に限られるものではなく、指で掴んで捻るのに不便じゃないような形状であればどんな形状でも構わない。但し、上記頭（２２）の平断面の形状は多角形にした方が持ちやすくて好ましい。
【００１０】
図５に図示したように、本発明による容器（３０）の口（１１）の入り口とキャップ（２０）は本体（２３）と管（２６）の２重に締結される。即ち、上記キャップ本体（２３）はその内周面が上記口（１１）の入り口の外周面に密着挿入され、上記管（２６）は本体（２３）の内側の上端からパイプ形状に突き出るように形成され、キャップ（２０）締結の際に上記口（１１）の入り口の内周面に密着挿入される。容器（３０）は軽質の合成樹脂であることもあるのに対して、それに結合されるキャップ（２０）は気密性の向上のために軟質の合成樹脂を使用する。キャップ（２０）の素材として合成ゴムが使われることもある。従って、多くの場合キャップの温度膨張率或いは収縮率が口（１１）の入り口の温度膨張率或いは収縮率より大きい。従って、外部温度の上昇によってキャップ（２０）および口（１１）の膨張率が異なって膨張する場合や、外部温度の下降によってキャップ（２０）および口（１１）の収縮率が異なって収縮する場合にも口（１１）が入り口の外周面と内周面の中で少なくてもどちらかの面ではいつも密閉状態を保持できるようになる。
【００１１】
また、キャップ（２０）の上記管（２６）の下端から上記首（２４）内部の特定の支点までは、その内部を貫通する吐出孔が形成される。上記首（２２）が除去されると、上記吐出孔（２５）はビンの内部を外部に開放して、ビンの内部の栄養剤が外部に流れ出るようにする。上記吐出孔（２５）によって上記首（２４）の一部は一定の長さを持つ管の形状になる。上記吐出孔（２５）の直径は植物栄養剤の液体の排出時間を考慮した上で決める。
【００１２】
本発明の特徴は、上記キャップ（２０）を、前に説明したように、容器の口（３１）の先端に挿入する本体（２３）と、上記本体の上部に繋がっている首（２４）と、上記首（２４）の上部に設けられた頭（２２）と、首（２４）の下部に設けられて本体（２３）内部の下方へ延長された管（２６）と、上記管（２６）の内部から上記首（２４）の内部まで連続的に形成された吐出孔（２５）を含めて構成し、上記首（２４）の下部に上記吐出孔（２５）方向へ延長された吐出孔（２５）塞ぎ防止用の棒状突起（２７）を形成したことにある。
【００１３】
図５を参照すれば分かるように、上述した構成を持つ本発明によるキャップ（２０）は頭（２２）を掴んで首（２４）を捻る際に、のびた軟質樹脂が吐出孔（２５）を塞ぐのを上記棒状突起（２７）が遮断するようになる。頭（２２）を完全に除去すると、上記棒状
突起（２７）は頭（２２）と共に除去される。
【符号の説明】
【００１４】
２０：キャップ                          ２２：頭
２３：本体                              ２４：首
２５：吐出孔                            ２６：管
２７：棒状突起                          ３０：容器
３１：口                                ３２：胴体
【図１】
2016501787.tif 000003
【図２】
2016501787.tif 000004
【図３】
2016501787.tif 000005
【図４】
2016501787.tif 000006
【図５】
2016501787.tif 000007
【国際調査報告】
2016501787.tif 000008
2016501787.tif 000009
2016501787.tif 000010
2016501787.tif 000011